(57)【要約】【課題】  製造や組み立てを簡単に行えるうえ、鏡本体が枠体内に収まらないとか、鏡本体と枠体との間に隙間があって鏡本体がカタコトと動いてしまうとかいった不具合が発生しないようにできる鏡を提供する。【解決手段】  長短二つの円弧と各円弧の端部をつなぐ二つの直線とを輪郭とする左右対称形の鏡本体１を、長い方の円弧を上にして使用されるよう、その輪郭に沿って設けた枠体２〜５と、裏側に設けた裏板６とによって保持する。枠体２〜５の内側全周と裏板６との間に、鏡本体１の縁部を差し入れることのできるミゾ２ｘ〜５ｘを形成するとともに、上記の輪郭のうち長い方の円弧に沿う部分の枠体５を、他の部分の枠体２〜４とは別の部材として形成する。【選択図】      図１
0003118951.tif 000002
【実用新案登録請求の範囲】
【請求項１】
長短二つの円弧と各円弧の端部をつなぐ二つの直線とを輪郭とする左右対称形の鏡本体が、長い方の円弧を上にして使用されるよう、その輪郭に沿って設けられた枠体と、裏側に設けられた裏板とによって保持されていることを特徴とする鏡。
【請求項２】
枠体の内側全周に、または枠体の内側全周と裏板との間に、鏡本体の縁部を差し入れることのできるミゾが形成されていること、および、上記の輪郭のうち長い方の円弧に沿う部分の枠体が、他の部分の枠体とは別の部材として形成されていることをさらに特徴とする請求項１に記載の鏡。
【請求項３】
上記の輪郭のうち長い方の円弧以外の部分の枠体があらかじめ組み付けられ、
当該枠体または当該枠体と裏板との間に形成された上記のミゾの中に、まだ枠体の取り付けられていない部分から鏡本体が差し入れられ、
そのうえで、長い方の円弧に沿う部分の枠体が取り付けられることにより当該鏡本体が保持されていることを特徴とする請求項２に記載の鏡。
【請求項４】
枠体と裏板とにより鏡本体が保持されて使用状態にあるとき、上記二つの直線に沿う部分の枠体に形成されたミゾまたは当該枠体と裏板との間に形成されたミゾの底部に鏡本体が接触するよう、各部のミゾまたは鏡本体の寸法が定められていることを特徴とする請求項２または３に記載の鏡。
【考案の詳細な説明】
【技術分野】
【０００１】
請求項に係る考案は、卓上に立て、または壁に掛けるなどして使用される鏡（つまり卓上立て鏡や壁掛け鏡など）に関するものである。
【背景技術】
【０００２】
壁掛け鏡に関連のある考案として、たとえば下記の特許文献１がある。同文献１には、図５に示す手芸用壁掛け鏡材料（鏡Ｂ）が開示されている。
【０００３】
すなわち特許文献１によれば、たとえば円形の輪郭をもつ鏡本体１１を、それがはめ込まれる凹所１２ｃを有する基板１２と、その凹所１２ｃよりも一回り小さい窓孔１３ａを有する表板１３とで、厚み方向にはさみ付けることにより保持する。基板１２は、任意の輪郭をもつ第一基板１２ａの表面に、それと同じ輪郭をもつほか鏡本体と同じ厚みを有し上記の凹所１２ｃとなる開口を形成された第二基板１２ｂを接合したものである。
同文献１の考案では、全く継ぎ目のない表板１３を使用して鏡本体１１を保持することができるため、絵を書いたりする手芸用の壁掛け鏡材料として好ましい。ただし、これと同様に基板と表板とで鏡本体をはさみ付けることは、一般の鏡（卓上立て鏡や壁掛け鏡など）においても広く採用されている。とくに鏡本体が円形であったり、正方形や長方形、六角形、八角形などの場合にはきわめてよく採用される。
【特許文献１】実公平５−１９００８号公報
【考案の開示】
【考案が解決しようとする課題】
【０００４】
正方形や長方形、六角形、八角形などの鏡本体を上記のように基板と表板とではさんで鏡を構成するのには、つぎのような点で容易でない面があった。
i)  基板に設ける凹所と鏡本体の輪郭とが、製作誤差等によってぴったりとは一致しないことがあり得る。その場合、鏡本体が凹所に収まり切らないか、または、凹所と鏡本体との間に隙間ができるために鏡を少し動かしただけで鏡本体がカタコトと音や振動を発してしまうことになる。
ii)  基板と表板とを接着等するという、比較的重要であって不手際が目立ちやすい作業を、鏡本体を含んだ状態で行う必要がある。割れ物である鏡本体をも扱いながらそのような作業を行うことは細心の注意を必要とし、容易ではない。また、もし不手際があって接着剤が漏れ出たり接合ズレが生じたりした場合には、鏡本体を含む状態で手直しをしなければならない。
【０００５】
請求項の考案は、上記のような課題を解決できる、製造や組み立てが簡単な鏡を提供するものである。
【課題を解決するための手段】
【０００６】
請求項に記載した考案の鏡は、長短二つの円弧と各円弧の端部をつなぐ二つの直線とを輪郭とする左右対称形の鏡本体を、長い方の円弧を上にして（たとえば卓上に立てまたは壁に掛けて）使用されるよう、その輪郭に沿って設けた枠体と、裏側に設けた裏板とによって保持することを特徴とする。
このような鏡は、鏡本体の輪郭のうち二つの直線の部分が並行でないうえ長い方の円弧を上にして使用するため、使用状態において、当該二つの直線の部分で鏡本体の外縁を枠体に確実に接触させることが容易である。つまり、上から下へかけて間隔がせまくなる二つの直線状の枠体部分の間に重力の作用で鏡本体が押し込まれ、もってそれら直線部分の枠体に鏡本体の外縁を確実に接触させる、という関係を容易に実現できる。したがって、鏡本体が枠体内に収まらないとか、鏡本体と枠体との間に隙間ができて鏡本体がカタコトと動いてしまうとかいった不具合を、きわめて容易に回避できる。
なお、鏡本体が左右対称形であって落ち着いた印象を与えるほか、直線のみでなく、柔らかな印象をもたらす二つの円弧を輪郭のうちに含むため、この鏡は、使用者の気分を和らげるなど外観上の利点をも有している。
【０００７】
考案の鏡においては、とくに、枠体の内側全周または枠体の内側全周と裏板との間に、鏡本体の縁部（輪郭をなす縁部）を差し入れることのできるミゾを形成するとともに、上記の輪郭のうち長い方の円弧に沿う部分の枠体を、他の部分の枠体とは別の部材として形成するのがよい。
このようにミゾを形成すれば、枠体等によって鏡本体を保持することが確実かつ容易に行える。また長い方の円弧に沿う枠体を別部材にするなら、組み立て作業として、当該長い方の円弧に沿う枠体以外の枠体を先に裏板に取り付けたうえ、それらによってできるミゾの中に鏡本体を差し入れ、その後に当該長い円弧の枠体を取り付けて鏡を完成する、という手順（たとえば下記のもの）をも採用することができる。このような手順は、前記した特許文献１に記載の手順（基板の凹所に鏡本体を入れたうえ表板を全面に接合してはさみ付ける）に較べると、鏡本体を組み込んだのち、簡単で不手際の目立ちにくい作業を行うことのみによって鏡を完成できるという利点を有する。
【０００８】
上記の鏡は、具体的には、
1)  上記の輪郭のうち長い方の円弧以外の部分の枠体をあらかじめ組み付け、
2)  当該枠体（長い方の円弧以外の部分の枠体）または当該枠体と裏板との間に形成された上記のミゾの中に、まだ枠体を取り付けていない部分（長い方の円弧の部分の枠体を取り付ける側）から鏡本体を（縁部をミゾに挿入することにより）差し入れ、
3)  そのうえで、長い方の円弧に沿う部分の枠体を裏板等に組み付けることにより、当該鏡本体を保持状態にする
といった手順で組み立てられるものとするのがよい。
このような手順によるものであれば、鏡本体の組み込みや保持を確実かつ容易に行えるほか、割れ物である鏡本体を組み込んだ後の作業が簡単なもののみとなって好ましい。
【０００９】
考案の鏡は、とくに、枠体と裏板とにより鏡本体が保持されて使用状態（上記のとおり長い方の円弧を上にして使用される状態）にあるとき、上記二つの直線に沿う部分の枠体に形成されたミゾまたは当該枠体と裏板との間に形成されたミゾの底部に鏡本体が接触するように、各部のミゾまたは鏡本体の寸法（または枠体の組立寸法）を定めるのが有利である。つまりたとえば、図１におけるａ−ａ断面およびｂ−ｂ断面のそれぞれが、図４（ａ）および同（ｂ）の状態（同（ｂ）でミゾの底部にある隙間が同（ａ）ではミゾの底部に存在しない）になるようにするのが好ましい。
そのようにすると、上記二つの直線に沿う部分の枠体（によるミゾの底部）に鏡本体が確実に支えられ、鏡本体がカタコトと動いてしまう不具合が生じない。図示の例（図４（ｂ）ではミゾの底部に隙間がある）のように、二つの円弧に沿う部分の枠体と裏板との間にできるミゾの底部には鏡本体が接触しないようにすれば、長い方の円弧に沿う部分の枠体が取り付け難いという不都合も発生しない。
【考案の効果】
【００１０】
請求項に係る鏡によれば、製造や組み立てを簡単に行えるうえ、鏡本体が枠体内に収まらないとか、鏡本体が枠体の中でカタコトと動いてしまうとかいった不具合が発生しないようにすることが容易である。さらに、枠体等に適切にミゾを形成し、枠体の一部を別の部材にする等の工夫を施せば、鏡本体を組み込んだのち、簡単で不手際の目立ちにくい作業を行うことのみによって鏡を完成できるようになる。
【考案を実施するための最良の形態】
【００１１】
考案の実施形態としての鏡Ａを図１〜図４に示す。鏡Ａは卓上立て鏡であって、図１（正面図）および図２（背面図）に示すとおり、全体概形が扇形（ただし中心付近の扇形部分を含まない、一般の扇子における紙の部分の形）をしたものである。鏡本体１は平面状のもので、その輪郭（図１中に破線で示す形）として、中心点を共通にした半径の異なる長短二つの円弧辺１ｄ・１ａと、それらの円弧辺の端点同士をつなぐ二つの直線辺１ｂ・１ｃとを有している。長い方の円弧辺１ｄを上にし、全体概形と鏡本体１とが左右対称になるよう卓上に立てて使用する。
【００１２】
鏡本体１は、その輪郭をなす４辺（円弧辺１ａ・１ｄと直線辺１ｂ・１ｃ）に沿って設ける４つの枠体２〜５と、裏側に設ける裏板６とによって保持している。枠体２〜５のうち、円弧辺１ａ・１ｄに沿う枠体２・５は円弧形状であり、直線辺１ｂ・１ｃに沿う枠体３・４は直線形状である。裏板６の裏面にスタンド７を取り付けているので、それを利用することにより、鏡本体１は、枠体２〜５と裏板６とに保持されてやや斜め後方に傾けた状態で卓上に立てられる。なお、この例では、鏡本体１をガラス製としたのに対し、枠体２〜５と裏板６、スタンド７とを木製とし、鏡本体１以外の表面に金色の塗装を施して外観を高めている。
【００１３】
鏡本体１を枠体２〜５と裏板６とで保持するために、枠体２〜５の各内周部全域と裏板６との間に、鏡本体１の縁部をそれぞれ挿入できるミゾ２ｘ・３ｘ・４ｘ・５ｘを形成している（図３参照）。各ミゾは、図４（ａ）・（ｂ）のとおり、鏡本体１と裏板６との合計の厚さにほぼ等しい幅をもつよう枠体２〜５の内周側に形成しておいた溝部に、最初に裏板６を挿入して一体化することにより、鏡本体１の厚さとほぼ同じ（鏡の厚さに比べて０．０〜＋０．３ｍｍの範囲とするのが好ましい）幅ｔを有するものとして形成する。ただし、これ以外の構造により枠体または枠体・裏板間にミゾを形成するようにしても差し支えない。直線状の枠体３・４の取付位置とそのミゾ３ｘ・４ｘの奥行きｓは鏡本体１の正規の寸法に合わせるのに対し、円弧状の枠体２・５の取付位置とそのミゾ２ｘ・５ｘの奥行きｓ’は、やや大きめ（上記正規の寸法に比べて＋１〜＋５ｍｍ）になるよう設定しておくとよい。
【００１４】
この鏡Ａは、図３に示す要領で組み立てることにより製作している。すなわち、
1)  まず、鏡本体１の輪郭のうち３辺（１ａ・１ｂ・１ｃ）に沿わせる三つの枠体２〜４を、接着剤を用いて（または釘やダボをも使用して）一体にする。
2)  一体にした枠体２〜４の内周側の溝部に（溝部のうち鏡Ａの裏側寄りの部分に）裏板６をはめ込み、それらを接着剤で一体化する。このとき、各枠体２〜４と裏板６との間に、鏡本体１の縁部を差し入れることのできる上記のミゾ２ｘ〜４ｘが形成されることになる。
3)  それらのミゾ２ｘ〜４ｘを利用し、図３のようにして枠体２〜４と裏板６との間に鏡本体１を挿入する。すなわち、枠体５をまだ取り付けていない側（長い方の円弧の側）から鏡本体１を入れ、その縁部をミゾ２ｘ〜４ｘのいずれかに添わせながら鏡本体１を移動させて所定位置（鏡本体１の３辺がともにミゾ２ｘ・３ｘ・４ｘの中に入る位置）に到達させる。
4)  鏡本体１を所定位置まで挿入させると、長い方の円弧に沿う枠体５を裏板６に（またはさらに隣接の枠体３・４にも）接合する。これによって鏡本体１を保持状態にし、鏡Ａの組み立てを完了する。ミゾ２ｘ・３ｘ・４ｘ・５ｘの奥行きｓ・ｓ’を前記のように設定しておくと、図４のように、二つの直線に沿う部分の枠体３・４によるミゾ３ｘ・４ｘの底部にのみ鏡本体が接触して、安定的に支持されるようになる。
【００１５】
なお、ここでは卓上立て鏡について説明したが、この考案が、壁掛け鏡など他の形態の鏡にも適用できることは言うまでもない。
【図面の簡単な説明】
【００１６】
【図１】完成状態の鏡Ａを示す正面図である。
【図２】完成状態の鏡Ａを示す背面図である。
【図３】組み立ての過程にある鏡Ａを示す正面図である。
【図４】図４（ａ）は図１におけるａ−ａ断面図であり、図４（ｂ）は図１におけるｂ−ｂ断面図である。
【図５】図５（ａ）は、従来の鏡Ｂ（手芸用壁掛け鏡材料）を示す正面図であり、同（ｂ）は、同（ａ）におけるｂ−ｂ断面図である。
【符号の説明】
【００１７】
１  鏡本体
１ａ・１ｄ  （輪郭のうち）円弧辺
１ｂ・１ｃ  （輪郭のうち）直線辺
２・３・４・５  枠体
２ｘ・３ｘ・４ｘ・５ｘ  ミゾ
６  裏板
７  スタンド
【図１】
0003118951.tif 000003
【図２】
0003118951.tif 000004
【図３】
0003118951.tif 000005
【図４】
0003118951.tif 000006
【図５】
0003118951.tif 000007